(57)【要約】【課題】ワイヤガイドからワイヤが抜けず、組付けの際ワイヤガイドが破損しにくいウインドレギュレータを提供することを課題とする。【解決手段】  ウインドガラスの開閉方向に沿って配置されたガイドレール５１と、ガイドレール５１に移動可能に係合し、ウインドガラスが取り付けられるキャリアプレート５３と、キャリアプレート５３に接続されるワイヤ６１ａ、６１ｂと、ワイヤ６１ｂが係合し、ワイヤ６１ｂの配索経路を変えるワイヤガイド９１と、を有し、ワイヤガイド９１は、ワイヤ６１ｂが挿入される第１溝（挿入溝）１１１ａを有し、第１溝（挿入溝）１１１ａは、ワイヤ６１ｂと交差する。【選択図】図１
2020128640.tif 000002
【特許請求の範囲】
【請求項１】
ウインドガラスの開閉方向に沿って配置されたガイドレールと、
該ガイドレールに移動可能に係合し、前記ウインドガラスが取り付けられるキャリアプレートと、
該キャリアプレートに接続されるワイヤと、
該ワイヤが係合し、前記ワイヤの配索経路を変えるワイヤガイドと、
を有し、
前記ワイヤガイドは、前記ワイヤが挿入される挿入溝を有し、
該挿入溝は、前記ワイヤと交差する
ことを特徴とするウインドレギュレータ。
【請求項２】
前記挿入溝の延長線は、
前記ワイヤのドラム、方向転換部材の巻き始め点を通らない
ことを特徴とする請求項１記載のウインドレギュレータ。
【請求項３】
前記挿入溝の幅は、前記ワイヤの径より広い
ことを特徴とする請求項１又は２記載のウインドレギュレータ。
【請求項４】
前記挿入溝の開口幅は、前記溝の開口から底方向に行くに従って漸次狭くなる
ことを特徴とする請求項１乃至３のいずれかに記載のウインドレギュレータ。 
【発明の詳細な説明】
【技術分野】
【０００１】
本発明は、ウインドガラスの開閉方向に沿って配置されたガイドレールと、該ガイドレールに移動可能に係合し、前記ウインドガラスが取り付けられるキャリアプレートと、前記ガイドレールの一方の端部に設けられ、正転／逆転方向に回転駆動されるドラムと、前記ガイドレールの他方の端部に設けられた方向変換部材と、中間部が前記ドラムに巻回され、前記ドラムから出た一方の端部が前記キャリアプレートに接続され、他方の端部が前記方向転換部材を介して前記キャリアプレートに接続されたワイヤと、前記ワイヤが係合し、前記ワイヤの配索経路を変えるワイヤガイドと、を備えたウインドレギュレータに関する。
【背景技術】
【０００２】
図面を用いて、従来のウインドレギュレータの説明を行う。図１１は従来のウインドレギュレータの正面図である。
図において、ガイドレール１は、ウインドガラスの開閉方向（図において矢印Ｕ、矢印Ｄ）に沿って配置されている。ガイドレール１には、ウインドガラスが取り付けられるキャリアプレート３が移動可能に係合している。、
ガイドレール１の下部（一方の端部）には、モータ５によって、正転／逆転方向に回転駆動されるドラム７が設けられている。ガイドレール１の上部（他方の端部）には、プーリ（方向転換部材）９が設けられている。
【０００３】
ドラム７には、ワイヤ１１の中間部が巻回されている。ドラム７から出た一方のワイヤ１１ａの端部は、キャリアプレート３に接続され、ワイヤ１１の他方のワイヤ１１ｂの端部はプーリ９を介してキャリアプレート３に接続されている。
ガイドレール１には、一方のワイヤ１１ａ（ワイヤ１１）が係合し、一方のワイヤ１１ａ（ワイヤ１１）の配索経路を変えるワイヤガイド２３が固着されている。
【０００４】
ここで、上記構成の作動を説明する。モータ５がドラム７を正転させると、ワイヤ１１の一方のワイヤ１１ａがドラム７から繰り出され、他方のワイヤ１１ｂがドラム７へ巻き取られ、キャリアプレート（ウインドガラス）３は上昇する。ドラム７を逆転させると、ワイヤ１１の一方のワイヤ１１ａがドラム７へ巻き取られ、他方のワイヤ１１ｂがドラム７から繰り出され、キャリアプレート（ウインドガラス）３は下降する。
【０００５】
ここで、図１２、図１３を用いてワイヤガイド２３の説明を行う。図１２は図１１のワイヤガイドがガイドレールに固着された状態を示す断面図、図１２のワイヤガイドを示す平面説明図である。
図１２、図１３に示すように、ワイヤガイド２３は、基端部がガイドレール１に取り付けられたブラケット２１を介してガイドレール１に取り付けられる。ワイヤガイド２３は、ブラケット２１に形成された穴に係合する３つの爪２３ａ、爪２３ｂ、爪２３ｃを用いて、ブラケット２１に取り付けられている。
【０００６】
ワイヤガイド２３には、ワイヤ１１の張られた方向（ウインドガラスの開閉方向）に沿って貫通する穴２３ｄが形成されている。さらに、穴２３ｄには、張られたワイヤ１１と平行な挿入溝２３ｅが形成されている。この溝２３ｅ介してワイヤ１１は穴２３ｄ内に挿入される（例えば、特許文献１参照）。
【０００７】
また、ワイヤガイドにワイヤを挿入する手法として、挿入溝の代わりに図１４に示すようなワイヤガイドも提案されている。図１４は他のワイヤガイドを示す断面図で、（ａ）はワイヤが挿入される途中を示す図、（ｂ）はワイヤが挿入された状態を示す図である。
図において、ワイヤガイド３３は、断面形状において、基端部が固定されたＬ字形の第１規制部３５と、基端部が固定され、第１規制部３５と協働してワイヤ３１が挿入される穴Ｓを形成する第２規制部３７とからなっている。また、第２規制部３７の先端部は弾性を有している。
【０００８】
そして、図１４（ａ）に示すように、第２規制部３７の先端部に張った状態のワイヤ３１を置き、ワイヤガイド３３を上方向に押し上げると、第２規制部３７の先端が下方に撓み、図１４（ｂ）に示すように、ワイヤ３１は穴Ｓへ挿入される。また、ワイヤ３１が穴Ｓへ挿入されると、第２規制部３７の先端部は元位置へ復帰する（例えば、特許文献２参照）。
【先行技術文献】
【特許文献】
【０００９】
【特許文献１】実用新案登録第３１１８２３７号公報
【特許文献２】特許第６２４７２２７号公報
【発明の概要】
【発明が解決しようとする課題】
【００１０】
しかし、図１１〜図１３に示す構成のワイヤガイドと、図１４に示すワイヤガイドは、以下のような問題点がある。
（１）図１１〜図１３に示す構造のワイヤガイド１５は、穴２３ｄに挿入されたワイヤ１１がワイヤガイド２３の溝２３ｅを介して、外部へ抜けてしまう場合がある。
（２）図１４に示す構造のワイヤガイド３３では、ワイヤ３１を穴Ｓへ挿入する際（組付け時）に、ワイヤガイド３３を上方へ強く押し上げると、第２規制部３７の先端部が破損する場合がある。
【００１１】
本発明は上記問題点に鑑みてなされたもので、その課題は、ワイヤガイドからワイヤが抜けず、組付けの際ワイヤガイドが破損しにくいウインドレギュレータを提供することにある。
【課題を解決するための手段】
【００１２】
上記した課題のうち少なくとも一つを実現するために、本発明の一側面を反映したウインドレギュレータは、ウインドガラスの開閉方向に沿って配置されたガイドレールと、該ガイドレールに移動可能に係合し、前記ウインドガラスが取り付けられるキャリアプレートと、該キャリアプレートに接続されるワイヤと、該ワイヤが係合し、前記ワイヤの配索経路を変えるワイヤガイドと、を有し、前記ワイヤガイドは、前記ワイヤが挿入される挿入溝を有し、該挿入溝は、前記ワイヤと交差することを特徴とする。
【００１３】
本発明の他の特徴は、以下に述べる発明を実施するための形態並びに添付の図面から一層明らかになるであろう。
【発明の効果】
【００１４】
本発明のウインドレギュレータによれば、前記ワイヤガイドは、前記ワイヤが挿入される挿入溝を有し、該挿入溝は、前記ワイヤと交差することにより、ワイヤガイドから張られたワイヤが抜けない。
また、ワイヤは挿入溝を挿通するだけなので、ワイヤガイドが破損しにくい。
【００１５】
本発明の他の効果は、以下に述べる発明を実施するための形態並びに添付の図面から一層明らかになるであろう。
【図面の簡単な説明】
【００１６】
【図１】実施形態例のウインドレギュレータの正面図である。
【図２】図１の背面図である。
【図３】図１の左側面図である。
【図４】図２の切断線ＩＶ−ＩＶでの端面図（切断部端面図）である。
【図５】図１のワイヤガイドの斜視図である。
【図６】図５のワイヤガイドを別の角度で見た斜視図である。
【図７】図５のワイヤガイドを別の角度で見た斜視図である。
【図８】図８は図５のＶＩＩＩ方向矢視図である。
【図９】図５のＩＸ方向矢視図である。
【図１０】図５のＸ方向矢視図である。
【図１１】従来のウインドレギュレータの正面図である。
【図１２】図１１のワイヤガイドがガイドレールに固着された状態を示す断面図である。
【図１３】図１２のワイヤガイドを示す平面説明図である。
【図１４】他のワイヤガイドを示す断面図で、（ａ）はワイヤが挿入される途中を示す図、（ｂ）はワイヤが挿入された状態を示す図である。
【発明を実施するための形態】
【００１７】
最初に、図１−図３を用いて実施形態のウインドレギュレータの全体構成を説明する。図１は実施形態例のウインドレギュレータの正面図、図２は図１の背面図、図３は図１の左側面図である。
図１−図３に示すように、ガイドレール５１は、ウインドガラスの開閉方向（図において矢印Ｕ、矢印Ｄ）に沿って配置される。ガイドレール５１には、ウインドガラスが取り付けられるキャリアプレート５３が移動可能に係合している。、
ガイドレール５１の下部（一方の端部）には、モータ５５によって、正転／逆転方向に回転駆動されるドラム５７が設けられている。ガイドレール５１の上部（他方の端部）には、プーリ（方向転換部材）５９が設けられている。
【００１８】
ドラム５７には、ワイヤ６１の中間部が巻回されている。ドラム５７から出た一方のワイヤ６１ａの端部は、キャリアプレート５３に接続され、ワイヤ６１の他方のワイヤ６１ｂの端部はプーリ９を介してキャリアプレート５３に接続されている。
本実施形態では、ワイヤ６１ａの端部は第１たるみ止め機構７１を用いて、ワイヤ６１ｂの端部は第１たるみ止め機構７１と同一構造の第２たるみ止め機構８１を用いてキャリアプレート５３に接続されている。
【００１９】
第１たるみ止め機構７１の説明を図１を用いて行う。ワイヤ６１ａの端部には、ワイヤ６１ａが挿通する第１スプリング（コイルスプリング）７３と、円板状の第１ワイヤエンド部材７５が取り付けられている。キャリアプレート５３のガイドレール５１と対向する面と反対側の面には、深さ方向が車幅方向（図１の紙面に垂直方向）の開口を有し、第１スプリング７３と第１ワイヤエンド部材７５を収容する第１凹部５３ａが設けられている。
【００２０】
さらに、キャリアプレート５３のガイドレール５１と対向する面と反対側の面には、ワイヤ６１ａを外部から第１凹部５３ａに案内する第１溝５３ｂが形成されている。
そして、第１スプリング７３の一方の端部が第１凹部５３ａの第１溝５３ｂ側の立壁面に押接し、他方の端部が第１ワイヤエンド部材７５に押接することにより、ワイヤ６１ａにワイヤ６１ａを張る方向のテンションが発生し、ワイヤ６１ａのたるみを取ると共に、ワイヤ６１ａはキャリアプレート５３に接続される。
【００２１】
第２たるみ止め機構８１の説明を図１、図２を用いて行う。第２たるみ止め機構８１は第１たるみ止め機構７１と車長方向（図１、図２の紙面の左右方向）にオフセットした位置に設けられている。よって、第２たるみ止め機構８１は図１、図２に表されているが、第１たるみ止め機構７１はガイドレール５１上にあり、図２には表されていない。
【００２２】
ワイヤ６１ｂの端部には、ワイヤ６１ｂが挿通する第２スプリング（コイルスプリング）８３と、円板状の第２ワイヤエンド部材８５が取り付けられている。
キャリアプレート５３のガイドレール５１と対向する面と反対側の面には、深さ方向が車幅方向の開口を有し、第２スプリング８３と第２ワイヤエンド部材８５を収容する第２凹部５３ｃが設けられている。さらに、キャリアプレート５３のガイドレール５１と対向する面と反対側の面には、ワイヤ６１ｂを外部から第２凹部５３ｃに案内する第２溝５３ｄが形成されている。
【００２３】
そして、第２スプリング８３の一方の端部が第２凹部５３ｃの第２溝５３ｄ側の立壁面に押接し、他方の端部が第２ワイヤエンド部材８５に押接することにより、ワイヤ６１ｂにワイヤ６１ｂを張る方向のテンションが発生し、ワイヤ６１ｂのたるみを取ると共に、ワイヤ６１ｂはキャリアプレート５３に接続される。
【００２４】
ガイドレール５１には、他方のワイヤ６１ｂ（ワイヤ６１）が係合し、他方のワイヤ６１ｂ（ワイヤ６１）の配索経路を変えるワイヤガイド９１が固着されている。
ここで、上記構成の作動を説明する。モータ５５がドラム５７を正転させると、ワイヤ６１の一方のワイヤ６１ａがドラム７から繰り出され、他方のワイヤ６１ｂがドラム５７へ巻き取られ、キャリアプレート（ウインドガラス）５３は上昇する。ドラム５７を逆転させると、ワイヤ６１の一方のワイヤ６１ａがドラム７へ巻き取られ、他方のワイヤ６１ｂがドラム５７から繰り出され、キャリアプレート（ウインドガラス）５３は下降する。
【００２５】
ここで、図４−図１０を用いてワイヤガイド９１の説明を行う。図４は図２の切断線ＩＶ−ＩＶでの端面図（切断部端面図）、図５は図１のワイヤガイドの斜視図、図６は図５のワイヤガイドを別の角度で見た斜視図、図７は図５のワイヤガイドを別の角度で見た斜視図、図８は図５のＶＩＩＩ方向矢視図、図９は図５のＩＸ方向矢視図、図１０は図５のＸ方向矢視図である。
【００２６】
ワイヤガイド９１は、基端部がガイドレール５１に取り付けられ、ウインドガラスの開閉方向と交差する方向に延出するブラケット８７を介してガイドレール１に取り付けられる（図１−図４参照）。
本実施形態のワイヤガイド９１は、樹脂成形品で、２つの金型で製造できるような形状となっている。
【００２７】
ワイヤガイド９１は、ブラケット８７に接続された底部１０１と、底部１０１と対向する天部１１１を有している。
天部１１１は略矩形を成し、対向する２つの辺を連絡し、ワイヤ６１ｂが挿入される直線状の第１溝（挿入溝）１１１ａが形成されている。また、第１溝（挿入溝）１１１ａを横切る線分状の第２溝１１１ｂも形成されている。
【００２８】
図１に示すように、第１溝（挿入溝）１１１ａの延出方向の延長線Ｐ（図１において、一点鎖線で示す）は、第２たるみ止め機構８１によって張られたワイヤ６１ｂと交差する方向である。また、第１溝（挿入溝）１１１ａの延長方向の延長線Ｐは、張られた状態のワイヤ６１ｂ、６１ａのドラム５７の巻き始め点Ｄ１、プーリ（方向転換部材）５９の巻き始め点Ｐ１を通らないように設定した。
【００２９】
第１溝（挿入溝）１１１ａの開口幅Ｗ（図５−図７、図９参照）は、第１溝１１１ａの開口から底方向に行くに従って漸次狭くなるように形成され、さらに、底の一番狭い幅であっても、その幅は挿入されるワイヤ６１ｂの径より広く設定されている。
底部１０１は、天部１１１の第１溝１１１ａに対向する第１底部１０１ａと、天部１１１の第２溝１１１ｂに対向する第２底部１０１ｂとからなっている。
【００３０】
また、ワイヤガイド９１は、天部１１１と底部１０１とを接続する第１柱部１２１と第２柱部１３１を有している。
第１柱部１２１は、一端部が天部１１１の角部１１１ｃに接続され、他端部が底部１０１の第１底部１０１ａの一方の端部１０１ｃに接続されている。第２柱部１３１は、一端部が天部１１１の角部１１１ｃと対向する角部１１１ｄに接続され、他端部が底部１０１の第１底部１０１ａの他方の端部１０１ｄに接続されている。
【００３１】
底部１０１の第２底部１０１ｂの天部１１１と対向する面と反対側の面（図５において下面）には、ブラケット８７の基部側（ガイドレール５１側）に形成された穴８７ａ（図４参照）に係脱可能な突起１０１ｅが形成されている。突起１０１ｅは、穴８７ａを挿通可能な基部１０１ｆと、基部１０１ｆの先端側に形成され、弾性を有し、基部１０１ｆが穴８７ａを挿通した状態で穴８７ａの縁部に係合可能な爪部１０１ｇとからなっている。
【００３２】
ブラケット８７の先端部は、図４に示すように折曲げ部８７ｂが形成されている。この折曲げ部８７ｂには、底部１０１の第２底部１０１ｂが挿通可能な穴８７ｃが形成されている。
底部１０１の第２底部１０１ｂの天部１１１と対向する面には、穴８７ｃの縁部に係合可能な突部１０１ｈが形成されている。
【００３３】
さらに、底部１０１の第２底部１０１ｂには、爪部１０１ｇを形成する金型が挿通するため穴１０１ｉが形成されている。
上記構成によれば、以下の効果が得られる。
【００３４】
（１）ワイヤガイド９１は、ワイヤ６１ｂが挿入される第１溝（挿入溝）１１１ａを有し、第１溝（挿入溝）１１１ａは、張られた状態のワイヤ６１ｂと交差することにより、ワイヤガイド９１から張られたワイヤ６１ｂが抜けない。
また、ワイヤ６１ｂは第１溝（挿入溝）１１１ａを挿通するだけなので、ワイヤガイド９１が破損しにくい。
【００３５】
（２）第１溝（挿入溝）１１１ａの延長方向の延長線Ｐは、張られた状態のワイヤ６１ｂ、６１ａのドラム５７の巻き始め点Ｄ１、プーリ（方向転換部材）５９の巻き始め点Ｐ１を通らないように設定したことにより、第１溝（挿入溝）１１１ａよりワイヤ６１ｂが外れない。
【００３６】
（３）第１溝（挿入溝）１１１ａの開口幅Ｗ（図５−図７、図９参照）は、第１溝１１１ａの開口から底方向に行くに従って漸次狭くなるように形成されていることにより、ワイヤ６１ｂの挿入性が良い。
【００３７】
（４）底の一番狭い幅であっても、その幅は挿入されるワイヤ６１ｂの径より広く設定されていることにより、ワイヤ６１ｂの挿入性が良い。
【００３８】
（５）ワイヤ６１ｂのワイヤガイド９１への組付けは、ワイヤ６１ｂがたるんでいる状態で、第１溝（挿入溝）１１１ａにワイヤ６１ｂを挿入し、その後にワイヤ６１ｂにテンションをかけてワイヤ６１ｂを張る。それにより組付け性が向上する。当然テンションを張った後に挿入することを妨げるものではない。
【００３９】
尚、本発明は上記構成に限定するものではない。例えば、第１溝（挿入溝）１１１ａはワイヤ６１ｂと交差すれば必ずしも直線状でなくても良く、円弧状、波形状、その他の曲線状等でも良い。
【符号の説明】
【００４０】
５１  ガイドレール
５３  キャリアプレート
６１ａ、６１ｂ  ワイヤ
９１  ワイヤガイド
１１１ａ  第１溝（挿入溝）
【図１】
2020128640.tif 000003
【図２】
2020128640.tif 000004
【図３】
2020128640.tif 000005
【図４】
2020128640.tif 000006
【図５】
2020128640.tif 000007
【図６】
2020128640.tif 000008
【図７】
2020128640.tif 000009
【図８】
2020128640.tif 000010
【図９】
2020128640.tif 000011
【図１０】
2020128640.tif 000012
【図１１】
2020128640.tif 000013
【図１２】
2020128640.tif 000014
【図１３】
2020128640.tif 000015
【図１４】
2020128640.tif 000016